【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】
第１面を備える第１部材と第２面を備える第２部材とを有する第１ダイであって、前記第２部材は前記第１部材に対し、前記第２面が前記第１面を越えて突出する延出位置と前記第２面が前記第１面を越えないで突出する引き込み位置との間で移動可能であり、前記第１ダイは前記第２部材をその前記延出位置の方へ付勢する付勢手段を備える第１ダイと、少なくとも一面を有する少なくとも１個の別のダイであって、前記少なくとも１個の別のダイは前記第１ダイに対し、前記少なくとも１個の別のダイが前記第１ダイから遠方の第１位置と前記少なくとも１個の別のダイが前記第１ダイに隣接して配置される第２位置との間で移動可能であり、前記少なくとも１個の別のダイが前記第１ダイに対してその前記第１位置からその前記第２位置の方へ移動する時に前記少なくとも１個の別のダイにより前記第１ダイの前記第２部材がその前記延出位置からその前記引き込み位置の方へ移動し、前記少なくとも１個の別のダイの前記少なくとも一面が前記第１ダイの前記第１面および第２面と協働して、前記少なくとも１個の別のダイが前記第１ダイに対してその前記第１位置からその前記第２位置の方へ移動する時に前記第１ダイと前記少なくとも１個の別のダイとの間に配置された外科手術針をスエージ加工し、前記第１ダイの前記第２部材は、前記少なくとも１個の別のダイが前記第１ダイに接触する時にその前記引き込み位置まで移動可能であり、それにより多くの異なったタイプまたは寸法の外科手術針が前記第１ダイと前記少なくとも１個の別のダイによってスエージ加工可能である少なくとも１個の別のダイとを備える、縫合糸を取付けるための外科手術針スエージ加工装置。
【請求項２】
請求項１に記載の装置であって、
前記第１ダイの前記第１面および第２面と、前記少なくとも１個の別のダイの前記少なくとも一面が互いに協働してその間にスペースを定めて、前記少なくとも１個の別のダイが前記第１ダイに対してその前記第１位置からその前記第２位置の方へ移動する時に、前記スペース内でスエージ加工されるように外科手術針の取付け端部を配置する、装置。
【請求項３】
請求項２に記載の装置であって、
前記第１ダイの前記第１面および第２面と、前記少なくとも１個の別のダイの前記少なくとも一面が互いに協働して、前記少なくとも１個の別のダイが前記第１ダイに対してその前記第１位置からその前記第２位置の方へ移動する時に、前記スペースのサイズを徐々に縮小し、それによって前記ダイの前記第１面および第２面と、前記少なくとも１個の別のダイの前記少なくとも一面が前記スペースに配置された外科手術針の取付け端部をスエージ加工する、装置。
【請求項４】
請求項３に記載の装置であって、
前記少なくとも１個の別のダイは前記第１ダイに対して、前記第１ダイと前記少なくとも１個の別のダイが前記スペースに配置された外科手術針を無限に変更できる範囲までスエージ加工できるようにその前記第１位置とその前記第２位置との間の非常に多くの位置のうちの１ヶ所に移動可能である、装置。
【請求項５】
請求項４に記載の装置であって、
前記少なくとも１個の別のダイは第３部材と第４部材を有する第２ダイで構成され、前記少なくとも一面が前記第３部材に形成される第３面と前記第４部材に形成される第４面で構成され、前記第２ダイの前記第４部材は前記第２ダイの前記第３部材に対して、前記第４面が前記第３面を越える延出位置と前記第４面が前記第３面を越えない引き込み位置との間で移動可能であり、前記第２ダイは前記第４部材をその前記延出位置の方へ付勢する別の付勢手段を備える、装置。
【請求項６】
請求項５に記載の装置であって、
前記第２ダイの第３面と第４面は、前記第２ダイが前記第１ダイに対して前記第１位置から前記第２位置の方へ移動する時、前記第１ダイのそれぞれ第１面と第２面の方へ同時に移動する、装置。
【請求項７】
請求項６に記載の装置であって、
前記第１ダイの前記第２部材はその端部に第５面を有し、前記第５面は、前記第２部材が前記引き込み位置にある時、前記第１面と略同一平面にあり、前記第２ダイの前記第４部材はその端部に第６面を有し、前記第６面は、前記第４部材が前記引き込み位置にある時、前記第３面と略同一平面にある、装置。
【請求項８】
請求項７に記載の装置であって、
前記第１ダイの前記第１面と第２面が前記第３面と第４面と協働して、前記第１ダイと第２ダイによってスエージ加工作業を行なう前に外科手術針の取付け端部を完全に包囲する、装置。
【請求項９】
請求項５に記載の装置であって、
前記第１ダイは、前記第１ダイに対する前記第２ダイの移動に応じて延出位置と引き込み位置との間で前記第１ダイの前記第１部材に対して移動可能である第５部材を備え、前記少なくとも一面が前記第５部材に形成された第５面を構成し、前記第１面、第２面、第３面、第４面および第５面が互いに協働して、前記第２ダイが前記第１ダイに対して前記第１位置から前記第２位置の方へ移動する時に前記第１ダイと第２ダイとの間に配置された外科手術針の取付け端部をスエージ加工する、装置。
【請求項１０】
請求項９に記載の装置であって、
前記第２ダイは、前記第１ダイに対する前記第２ダイの移動に応じて延出位置と引き込み位置との間で前記第２ダイの前記第３部材に対して移動可能である第６部材を備え、前記少なくとも一面が前記第６部材に形成された第６面を構成し、前記第１面、第２面、第３面、第４面、第５面および第６面が互いに協働して、前記第２ダイが前記第１ダイに対して前記第１位置から前記第２位置の方へ移動する時に前記第１ダイと第２ダイとの間に配置された外科手術針の取付け端部をスエージ加工する、装置。
【請求項１１】
請求項１０に記載の装置であって、
前記第１ダイは、前記第１ダイに対する前記第２ダイの移動に応じて延出位置と引き込み位置との間で前記第１ダイの前記第１部材に対して移動可能である第７部材を備え、前記少なくとも一面が前記第７部材に形成された第７面を構成し、前記第１面、第２面、第３面、第４面、第５面、第６面および第７面が互いに協働して、前記第２ダイが前記第１ダイに対して前記第１位置から前記第２位置の方へ移動する時に前記第１ダイと第２ダイとの間に配置された外科手術針の取付け端部をスエージ加工する、装置。
【請求項１２】
請求項５に記載の装置であって、
前記少なくとも１個の別のダイは、第５部材と第６部材とを有する第３ダイと第７部材と第８部材とを有する第４ダイとで構成され、前記少なくとも一面は、前記第３ダイの前記第５部材に形成される第５面、前記第３ダイの前記第６部材に形成される第６面、前記第４ダイの前記第７部材に形成される第７面、および前記第４ダイの前記第８部材に形成される第８面を構成し、前記第３ダイの前記第６部材が前記第３ダイの前記第５部材に対して、前記第６面が前記第５面を越える延出位置と前記第６面が前記第５面を越えない引き込み位置との間で移動可能であり、前記第４ダイの第８部材が前記第４ダイの前記第７部材に対して、前記第８面が前記第７面を越える延出位置と前記第８面が前記第７面を越えない引き込み位置との間で移動可能であり、前記第１ダイ、第２ダイ、第３ダイおよび第４ダイの各々が共通の中心におよびその中心から移動可能であり、前記第２部材、第４部材、第６部材、および第８部材が前記第１ダイ、第２ダイ、第３ダイ、および第４ダイの前記共通の中心への移動に応じてそれらの引き込み位置の方へ移動し、前記第１面、第２面、第３面、第４面、第５面、第６面、第７面および第８面が互いに協働して、前記第１ダイ、第２ダイ、第３ダイ、および第４ダイが前記共通の中心へ移動する時に前記第１ダイ、第２ダイ、第３ダイ、および第４ダイ間に配置された外科手術針の取付け端部をスエージ加工する、装置。
【請求項１３】
請求項５に記載の装置であって、
前記第２ダイは、前記第１面、第２面、第３面、および第４面が協働して前記第１ダイと第２ダイとの間に配置された外科手術針の取付け端部を正方形断面にスエージ加工する方向で前記ダイに対して移動可能である、装置。
【請求項１４】
請求項１に記載の装置であって、
前記第１ダイと前記少なくとも１個の別のダイとの間に配置された外科手術針の取付け端部に縫合糸を案内するガイド手段をさらに備える、装置。
【請求項１５】
請求項１に記載の装置であって、
前記第１ダイは前記第１ダイの前記第２部材を前記第１ダイの前記第１部材に移動可能に取付ける取付け手段を有する、装置。
【請求項１６】
請求項１５に記載の装置であって、
前記取付け手段は前記第１ダイに形成された溝を備え、前記第１ダイの第２部材が前記溝に配置され、前記第１ダイの第２部材がその前記延出位置とその前記引き込み位置との間で移動できるように前記溝が所定の寸法、形状に作られる、装置。
【請求項１７】
請求項１６に記載の装置であって、
前記溝は前記ダイの前記第１部材に形成され、前記第１部材の前記第１面から前記第１部位の遠方の側面の方へ延出し、前記第２部材は、前記第２部材がその前記延出位置にある時に前記溝および前記第１部材の前記第１面から外側に出ており前記第２部材がその前記引き込み位置にある時に前記溝に引き込まれる一部分を有する、装置。
【請求項１８】
請求項１７に記載の装置であって、
前記第１部材は前記溝と交差する溝を備え、前記付勢手段は前記溝に配置され前記第１ダイの前記第１部材に固定される一端と前記第１ダイの前記第２部材に固定される反対側端部を有する板ばねを備える、装置。
【請求項１９】
第１面を備える第１部材と第２面を備える第２部材とを有する第１ダイであって、前記第２部材は前記第１部材に対し、前記第２面が前記第１面を越えて突出する延出位置と前記第２面が前記第１面を越えないで突出する引き込み位置との間で移動可能であり、前記第１ダイは前記第２部材をその前記延出位置の方へ付勢する第１の付勢手段を備える第１ダイと、第３面を備える第３部材と第４面を備える第４部材とを有する第２ダイで構成され、前記第２ダイの前記第４部材は前記第２ダイの前記第３部材に対して、前記第４面が前記第３面を越える延出位置と前記第４面が前記第３面を越えない引き込み位置との間で移動可能であり、前記第２ダイは前記第４部材をその前記延出位置の方へ付勢する第２の付勢手段を備え、前記第２ダイは前記第１ダイに対し、前記第２ダイが前記第１ダイから遠方の第１位置と前記第２ダイが前記第１ダイに隣接して配置される第２位置との間で移動可能であり、前記第２ダイが前記第１ダイに対してその前記第１位置からその前記第２位置の方へ移動する時に前記第２ダイにより前記第１ダイの前記第２部材がその前記延出位置からその前記引き込み位置の方へ移動し、前記第２ダイが前記第１ダイに対してその前記第１位置からその前記第２位置の方へ移動する時に前記第１ダイにより前記第２ダイの前記第４部材がその前記延出位置からその前記引き込み位置の方へ移動し、前記第２ダイの前記第３面および第４面が前記第１ダイの前記第１面および第２面と協働して、前記第２ダイが前記第１ダイに対してその前記第１位置からその前記第２位置の方へ移動する時に前記第１ダイと前記第２ダイとの間に配置された外科手術針をスエージ加工し、前記第１ダイの前記第２部材と前記第２ダイの前記第４部材は、前記第２ダイが前記第１ダイに接触する時にそれらの前記引き込み位置まで移動可能であり、それにより多くの異なったタイプまたは寸法の外科手術針が前記第１ダイと前記第２ダイによってスエージ加工可能であり、前記第１ダイの前記第１面および第２面と、前記第２ダイの前記第３面および第４面が互いに協働して外科手術針の取付け端部を把持するスペースを定め、前記第２ダイが前記第１ダイに対してその前記第１位置からその前記第２位置の方へ移動する時に、前記スペースのサイズを徐々に縮小し、それによって前記ダイの前記第１面および第２面と、前記第２ダイの前記第３面および第４面が前記スペースに配置された外科手術針の取付け端部をスエージ加工し、前記第２ダイは前記第１ダイに対して、前記第１ダイと前記第２が前記スペースに配置された外科手術針を無限に変更できる範囲までスエージ加工できるようにその前記第１位置とその前記第２位置との間の非常に多くの位置のうちの１ヶ所に移動可能であり、前記第２ダイの第３面と第４面は、前記第２ダイが前記第１ダイに対してその前記第１位置からその前記第２位置の方へ移動する時、前記第１ダイのそれぞれ第１面と第２面の方へ同時に移動し、前記第１ダイと第２ダイのそれぞれ前記第２部材と第４部材がそれぞれ前記第２ダイの前記第３面と前記第１ダイの前記第１面によってそれらの前記引き込み位置まで付勢されると、前記スペースが完全に閉鎖できる、縫合糸を取付けるための外科手術針スエージ加工装置。
【請求項２０】
第１面を備える第１部材と第２面を備える第２部材とを有する第１ダイであって、前記第２部材は前記第１部材に対し、前記第２面が前記第１面を越えて突出する延出位置と前記第２面が前記第１面を越えないで突出する引き込み位置との間で移動可能であり、前記第１ダイは前記第２部材をその前記延出位置の方へ付勢する第１の付勢手段を備える第１ダイと、第３面を備える第３部材と第４面を備える第４部材とを有する第２ダイで構成され、前記第２ダイの前記第４部材は前記第２ダイの前記第３部材に対して、前記第４面が前記第３面を越える延出位置と前記第４面が前記第３面を越えない引き込み位置との間で移動可能であり、前記第２ダイは前記第４部材をその前記延出位置の方へ付勢する第２の付勢手段を備え、前記第２ダイは前記第１ダイに対し、前記第２ダイが前記第１ダイから遠方の第１位置と前記第２ダイが前記第１ダイに隣接して配置される第２位置との間で移動可能であり、前記第２ダイが前記第１ダイに対してその前記第１位置からその前記第２位置の方へ移動する時に前記第２ダイにより前記第１ダイの前記第２部材がその前記延出位置からその前記引き込み位置の方へ移動し、前記第２ダイが前記第１ダイに対してその前記第１位置からその前記第２位置の方へ移動する時に前記第２ダイおよび前記第１ダイにより前記第１ダイの前記第２部材および前記第２ダイの前記第４部材がそれらの前記延出位置からそれらの前記引き込み位置の方へそれぞれ移動し、前記第２ダイの前記第３面および第４面が前記第１ダイの前記第１面および第２面と協働して、前記第２ダイが前記第１ダイに対してその前記第１位置からその前記第２位置の方へ移動する時に前記第１ダイと前記第２ダイとの間に配置された外科手術針をスエージ加工し、前記第１ダイの前記第２部材と前記第２ダイの前記第４部材は、前記第２ダイが前記第１ダイに接触する時にそれらの前記引き込み位置まで移動可能であり、それにより多くの異なったタイプまたは寸法の外科手術針が前記第１ダイと前記第２ダイによってスエージ加工可能である、縫合糸を取付けるための外科手術針スエージ加工装置。
【請求項２１】
請求項２０に記載の装置であって、
前記第１面、第２面、第３面および第４面はそれぞれ互いに略同じ第１、第２、第３および第４の幅を有し、これによって前記第１面、第２面、第３面および第４面によってスエージ加工された外科手術針が略同じランド高を有する、装置。
【請求項２２】
請求項２１に記載の装置であって、
前記第２ダイ部材は、前記第２ダイが前記第１ダイに接触する時にその前記引き込み位置に配置され、前記第４ダイ部材は、前記第２ダイが前記第１ダイに接触する時にその前記引き込み位置に配置される、装置。
【請求項２３】
請求項２２に記載の装置であって、
前記第１面、第２面、第３面および第４面は協働して外科手術針の取付け端部を把持するスペースを定め、前記スペースは、前記第２ダイが前記第２位置にある時、前記第１面、第２面、第３面および第４面によって閉鎖される、装置。